(57)【要約】【課題】使用材料が少なくて、軽量化・資材搬入の簡素化および簡単な施工ができる吊り天井構造を提供することである。【解決手段】吊り天井構造１は、上階床２の下面から吊りボルト３でチャンネル鋼材４が吊り下げられ、このチャンネル鋼材４に交差して天井板取付材５が適宜間隔ごとに設置され、該天井板取付材５の長さ方向に長い天井板６を短辺方向視において上側に湾曲させて天井板取付材５間にはめ合わせてなる。【選択図】    図１
2004308356.tif 000002
【特許請求の範囲】
【請求項１】
上階床の下面から吊りボルトでチャンネル鋼材が吊り下げられ、このチャンネル鋼材に交差して天井板取付材が適宜間隔ごとに設置され、天井板を上側に湾曲させて天井板取付材間にはめ合わせてなることを特徴とする吊り天井構造。
【請求項２】
上階床の下面から吊りボルトでチャンネル鋼材が吊り下げ、このチャンネル鋼材に交差して天井板取付材を適宜間隔ごとに設置し、天井板を上側に湾曲させてはめ合わせることを特徴とする吊り天井構造の構築方法。
【発明の詳細な説明】
【０００１】
【発明の属する技術分野】
本発明は吊り天井構造および吊り天井構造の構築方法に関するものである。
【０００２】
【従来の技術】
建物における吊り天井構造として、例えば特開２００２−１３２３７号公報の発明が知られている。この発明の吊り天井構造は、上階床から吊り金具で吊り下げた格子状の下地フレームに方形の天井パネルをビスで取り付けて構成されている。
【０００３】
【特許文献１】
特開２００２−１３２３７号公報（図１）
【０００４】
【発明が解決しようとする課題】
しかし、上記の吊り天井構造は、天井パネルを下地フレームに設置するのに、１枚当たり１０〜１５本のビスを必要とするため多くの手間がかかった。また組立に多くの部材を必要とするため、施工前の搬入および仮置きに多大のスペースを必要とした。さらに、地震時に天井パネルの角部やビス止め部に割れが生じやすかった。
【０００５】
本発明はこれらの問題に鑑みてなされたものであり、その目的は、使用材料が少なくて、軽量化・資材搬入の簡素化および簡単な施工ができる吊り天井構造およびその構築方法を提供することである。
【０００６】
【課題を解決するための手段】
以上の課題を解決するための吊り天井構造は、上階床の下面から吊りボルトでチャンネル鋼材が吊り下げられ、このチャンネル鋼材に交差して天井板取付材が適宜間隔ごとに設置され、天井板を上側に湾曲させて天井板取付材間にはめ合わせてなることである。
【０００７】
天井板が天井板取付材間をスライドできるので、点検口が不要になって天井裏への出入りが簡単にできる。
【０００８】
また吊り天井構造の構築方法は、上階床の下面から吊りボルトでチャンネル鋼材が吊り下げ、このチャンネル鋼材に交差して天井板取付材を適宜間隔ごとに設置し、該天井板取付材間に、天井板を上側に湾曲させてはめ合わせることである。
【０００９】
天井板を上側に湾曲させて天井板取付材間にはめ合わせたことにより、天井板を簡単に取り付けることができる。
【００１０】
【発明の実施の形態】
以下、本願発明の吊り天井構造およびその構築方法の実施の形態を図面に基づいて詳細に説明する。はじめに、吊り天井構造について説明し、その後に吊り天井構造の構築方法の実施の形態を図面に基づいて詳細に説明する。各実施の形態において、同じ構成は同じ符号を付して説明し、異なった構成にのみ異なった符号を付して説明する。
【００１１】
吊り天井構造１は、図１に示すように、上階床２の下面から吊りボルト３で吊り下げられたチャンネル鋼材４に天井板取付材５が交差して設置され、該天井板取付材５間に天井板６が嵌め合わされて構成されている。
【００１２】
このチャンネル鋼材４は部屋の短辺方向に沿って適宜間隔ごとに設置され、これと交差した方向、すなわち部屋の長辺方向に沿ってＣ型チャンネル鋼材などの天井板取付材５が設置されている。したがって、この天井板取付材５とチャンネル鋼材４とで格子状の下地フレーム７が形成され、これらの交差部が上階床２下面からの吊りボルト３と、上下のナット８、９とで結合されている。また上記の交差部はナット８、９に限らず、溶接でも接合することができる。
【００１３】
また天井板６は、図２に示すように、細長い鋼板またはプラスチック板であり、短辺方向視において上側に湾曲して天井板取付材５間に嵌め込まれ、その頂部がチャンネル鋼材４の下面に当接され、かつ両端部が天井板取付材５の掛け止め部１０に引掛けられている。この掛け止め部１０はＣ型チャンネルの両側面にＬ形鋼板１１がボルト１２止めされ、このＬ形鋼板１１の角部に天井板６の先端が嵌め込まれている。
【００１４】
また天井板６は下地フレーム７の格子部１３ごとに嵌め込まれ、チャンネル鋼材４の下側で重ね合わされてビス１４で固定されている。したがって、このビス１４を取り外すと天井板６が天井板取付材５に沿ってスライドでき、天井裏に設置した設備機器などをメンテナンスする際には、作業者が簡単に出入りできるようになっている。
【００１５】
この天井板６をカラーの鋼板またはプラスチック板にすると、任意の模様を形成でき、かつその模様替えも簡単にできる。
【００１６】
次に、図５〜図９に基づいて吊り天井構造の構築方法について説明する。
はじめに、図５に示すように、上階床２の下面に埋設したインサート金具１５に吊りボルト３をねじ込む。
【００１７】
次に、図６に示すように、前記吊りボルト３の先端に上ナット８をねじ込み、この上ナット８をねじ込んだ吊りボルト３の先端をチャンネル鋼材４に差し込む。そして、このボルト３でチャンネル鋼材４に交差させたＣ型チャンネル鋼材を取り付けると、図７に示すような格子状の下地フレーム７が形成される。
【００１８】
次に、図８に示すように、Ｃ型チャンネル鋼材の両側面にＬ形鋼板１１をボルト１２止めして掛け止め部１０を形成すると天井板取付材５が完成する。
【００１９】
次に、図９に示すように、水平な天井板６を短辺方向視において上側に湾曲して、天井板取付材５間に嵌め込むと、その頂部がチャンネル鋼材４の下面に接するとともに、その両端部が掛け止め部１０に嵌め込まれる。したがって、天井板６の端部には上側への力が作用するため、掛け止め部１０から外れないようになっている。
【００２０】
そして、この天井板６を下地フレーム７の格子部１３に嵌め込んでチャンネル鋼材４の下側で重ね合わせ、この重ね合わせ部をビス１４で固定すると吊り天井構造１が完成する。
【００２１】
【発明の効果】
吊り天井の施工工程が短縮できるので簡単に施工できる。また部材点数が少なくなるので、施工前の資材搬入や仮置きが容易になる。また天井全体が軽量になるため、地震時に天井板の割れや落下がない。ビスを外すと天井板がスライドできるため、点検口が不要となる他、メンテナンスも簡単になる。模様替えが簡単にできる。
【図面の簡単な説明】
【図１】吊り天井構造を天井裏からみた平面図である。
【図２】吊り天井構造の斜視図である。
【図３】吊り天井構造の断面図である。
【図４】（１）はチャンネル鋼材と天井板取付材との交差部の断面図、（２）は同側面図、（３）は天井板の頂部が天井板取付材の下面に接した正面図である。
【図５】上階床の下面に吊りボルトを取り付けた斜視図である。
【図６】吊りボルトにチャンネル鋼材を取り付けた斜視図である。
【図７】チャンネル鋼材にＣ型チャンネル鋼材を取り付けた斜視図である。
【図８】（１）はＣ型チャンネル鋼材にＬ形鋼板を取り付けて天井板取付材とした斜視図、（２）は同断面図である。
【図９】（１）は天井板取付材間に天井板を取り付ける断面図、（２）は天井板取付材間に天井板を取り付けた断面図である。
【符号の説明】
１  吊り天井構造
２  上階床
３  吊りボルト
４  チャンネル鋼材
５  天井板取付材
６  天井板
７  下地フレーム
８、９  ナット
１０  掛け止め部
１１  Ｌ形鋼板
１２  ボルト
１３  格子部
１４  ビス
１５  インサート金具
【図１】
2004308356.tif 000003
【図２】
2004308356.tif 000004
【図３】
2004308356.tif 000005
【図４】
2004308356.tif 000006
【図５】
2004308356.tif 000007
【図６】
2004308356.tif 000008
【図７】
2004308356.tif 000009
【図８】
2004308356.tif 000010
【図９】
2004308356.tif 000011